(57)【要約】【課題】  画像形成装置におけるトナー消費量を精度よく求める。【解決手段】  処理対象となるトナードット（ハッチングを付した丸印）を、その周囲に存在する隣接ドット（白丸印）の個数に応じて分類し、その分類ごとにドット個数をカウントする。隣接ドット個数によって当該トナードットのトナー付着量が異なるので、その差異に対応した重み付け係数Ｋ0〜Ｋ8を予め設定しておく。そして、各分類ごとのカウント値に、当該分類に対応する係数を乗じて加算することで、ドットが２次元的に配列された状態でのトナー消費量を精度よく求めることができる。【選択図】  図７
2006098952.tif 000002
【特許請求の範囲】
【請求項１】
その表面に静電潜像を担持可能な潜像担持体と、
前記潜像担持体表面の静電潜像をトナーにより顕像化してトナー像を形成する現像手段と、
前記現像手段によるトナー消費量を算出するトナー消費量算出手段と
を備え、
前記トナー消費量算出手段は、前記潜像担持体上に形成されるトナードットの２次元的配列状態に基づいてトナー消費量を算出する
ことを特徴とする画像形成装置。
【請求項２】
前記潜像担持体上に互いに位置を異ならせた複数のライン状潜像を形成することによって２次元の静電潜像を前記潜像担持体表面に形成する潜像形成手段と、
前記ライン状潜像の複数ライン分に相当する画像データを記憶する記憶手段と
をさらに備え、
前記トナー消費量算出手段は、前記記憶手段に記憶された画像データに基づいて前記トナードットの配列状態を判定する請求項１に記載の画像形成装置。
【請求項３】
前記トナー消費量算出手段は、前記潜像担持体上に形成される複数のトナードットそれぞれのトナー消費量を、前記潜像担持体表面のうち当該トナードットを取り囲む所定領域内に形成されるトナードットの数に基づいて算出する請求項１または２に記載の画像形成装置。
【請求項４】
前記トナー消費量算出手段は、算出対象とする期間内に形成された前記複数のトナードットそれぞれのトナー消費量を積算することによって、当該期間内における総トナー消費量を算出する請求項３に記載の画像形成装置。
【請求項５】
前記トナー消費量算出手段は、前記潜像担持体上に形成される複数のトナードットを、前記潜像担持体表面のうち当該トナードットを取り囲む所定領域内に形成されるトナードットの数に応じて分類するとともにその分類ごとのトナードットの個数をカウントし、各分類ごとのカウント値と、各分類ごとに予め定められた重み付け係数との積和演算によってトナー消費量を算出する請求項１または２に記載の画像形成装置。
【請求項６】
潜像担持体表面の静電潜像をトナーにより顕像化してトナー像を形成する画像形成装置に用いられるトナーカウンタにおいて、
前記潜像担持体上に形成されるトナードットの２次元的配列状態に基づいてトナー消費量を算出することを特徴とするトナーカウンタ。
【請求項７】
前記潜像担持体上に形成される複数のトナードットを、前記潜像担持体表面のうち当該トナードットを取り囲む所定領域内に形成されるトナードットの数に応じて分類するとともにその分類ごとのトナードットの個数をカウントし、各分類ごとのカウント値と、各分類ごとに予め定められた重み付け係数との積和演算によってトナー消費量を算出する請求項６に記載のトナーカウンタ。
【請求項８】
潜像担持体表面の静電潜像をトナーにより顕像化してトナー像を形成する画像形成装置におけるトナー消費量算出方法において、
前記潜像担持体上に形成されるトナードットの２次元的配列状態に基づいてトナー消費量を算出することを特徴とするトナー消費量算出方法。
【発明の詳細な説明】
【技術分野】
【０００１】
この発明は、画像形成装置におけるトナーの消費量を算出する技術に関するものである。
【背景技術】
【０００２】
プリンタ、複写機、ファクシミリ装置など、トナーを使用して画像を形成する電子写真方式の画像形成装置においては、トナー補給などメンテナンスの都合上、トナーの消費量あるいは残量を把握する必要がある。そこで、トナーの消費量を精度よく求めるための技術（以下、「トナーカウント技術」という）が従来より提案されている。例えば、特許文献１に記載のトナー消費量検出方法では、印刷ドット列をそのドットの連続状態に応じて複数のパターンに分類し、それらの発生回数を個別に計数する。そして、それらの計数値にそれぞれ所定の係数を乗じて加算することによって全トナー消費量を算出する。こうすることによって、ドットの連続状態の差異に起因するドット個数とトナー付着量との間の非線形性によらず高精度にトナー消費量を求めている。
【０００３】
【特許文献１】特開２００２−１７４９２９号公報（図２）
【発明の開示】
【発明が解決しようとする課題】
【０００４】
実際の画像形成動作においては、上記のような印刷ドット列を多数並べて形成することによって２次元画像を得ている。しかしながら、上記した従来のトナーカウント技術においては、このような２次元画像内における１つの方向（列方向）のドット連続性のみしか考慮していないため、算出精度の点で改善の余地が残されていた。
【０００５】
この発明は上記課題に鑑みなされたものであり、画像形成装置におけるトナー消費量を精度よく求めることのできる技術を提供することを目的とする。
【課題を解決するための手段】
【０００６】
この発明にかかる画像形成装置は、上記目的を達成するため、その表面に静電潜像を担持可能な潜像担持体と、前記潜像担持体表面の静電潜像をトナーにより顕像化してトナー像を形成する現像手段と、前記現像手段によるトナー消費量を算出するトナー消費量算出手段とを備え、前記トナー消費量算出手段は、前記潜像担持体上に形成されるトナードットの２次元的配列状態に基づいてトナー消費量を算出することを特徴としている。
【０００７】
また、この発明にかかるトナーカウンタは、潜像担持体表面の静電潜像をトナーにより顕像化してトナー像を形成する画像形成装置に用いられるトナーカウンタにおいて、上記目的を達成するため、前記潜像担持体上に形成されるトナードットの２次元的配列状態に基づいてトナー消費量を算出することを特徴としている。
【０００８】
さらに、この発明にかかるトナー消費量算出方法は、潜像担持体表面の静電潜像をトナーにより顕像化してトナー像を形成する画像形成装置におけるトナー消費量算出方法において、上記目的を達成するため、前記潜像担持体上に形成されるトナードットの２次元的配列状態に基づいてトナー消費量を算出することを特徴としている。
【０００９】
潜像担持体上に形成される静電潜像は２次元的な広がりを有しているため、一軸方向のみならず、他の方向へのドットの配列状態によってもトナーの付着量は異なる。このため、同じ１ドットであっても、ドット形成に消費されるトナーの量はその周囲のドットの配列状態によって異なる。ドットの配列状態によってトナー付着量が相違するのは、近接位置にあるドットそれぞれに対応する潜像が互いに干渉しあうことや、ドットの端部で中央部よりもトナー密度が高くなる現象（エッジ効果）に起因すると考えられる。そこで、本発明では、ドットの２次元的配列状態に基づきトナー消費量を算出するようにしている。こうすることで、一軸方向のドット配列状態のみを考慮している従来のトナーカウント技術に比べより高い精度でトナー消費量を算出することができる。
【００１０】
その具体的な態様としては、例えば、前記潜像担持体上に互いに位置を異ならせた複数のライン状潜像を形成することによって２次元の静電潜像を前記潜像担持体表面に形成する潜像形成手段と、前記ライン状潜像の複数ライン分に相当する画像データを記憶する記憶手段とを設け、該記憶手段に記憶された画像データに基づいて前記トナードットの配列状態を判定するように構成することができる。ライン状潜像の１ライン分の画像データから１次元のドット配列状態がわかる（従来技術）。そして、隣接する複数のライン状潜像それぞれの画像データを記憶しておけば、それらの画像データから２次元のドット配列状態を判定することができる。こうして判定されたドットの２次元的な配列状態に基づいてトナー消費量を算出することで、トナー消費量を精度よく求めることが可能となる。
【００１１】
なお、この場合の記憶手段は、例えば１ページ分の画像データを全て記憶しておく必要はない。というのは、当該トナードットから遠く離れた位置におけるドットの存在は当該トナードットのトナー付着量にあまり影響を与えないため、１ページのうち一部のライン（数ライン程度）に相当する画像データを記憶しておけば十分な精度を得ることができるからである。そして、１ライン分の演算処理が終われば先の１ライン分のデータを消去して次の１ライン分のデータを書き込むようにすればよい。このような目的のためには、いわゆるファーストイン・ファーストアウト構成のレジスタやリングバッファなどを用いることができる。
【００１２】
この発明は、例えば、所定の表面電位に帯電させた感光体（潜像担持体）表面をレーザ光により走査露光またはＬＥＤアレイの発光により露光することでライン状潜像を形成しながらこれらの光源と感光体とを相対移動させることで、２次元的な静電潜像を形成するように構成された画像形成装置に対して特に好適に適用することができる。
【００１３】
トナー消費量の算出の具体的な態様の一つは、前記潜像担持体上に形成される複数のトナードットそれぞれのトナー消費量を、前記潜像担持体表面のうち当該トナードットを取り囲む所定領域内に形成されるトナードットの数に基づいて算出することである。１つのトナードットのトナー消費量は一定ではなく、当該トナードットの周辺領域に他のトナードットがどのように分布しているかによって異なる。例えば、２つのトナードットが隣接している場合、１ドット当たりのトナー量は、周囲に他のドットが存在しない孤立ドットの場合よりも多くなることが知られている。一方、当該トナードットから遠く離れた位置にあるドットの存在は、当該トナードットのトナー消費量に及ぼす影響が小さい。
【００１４】
そこで、当該トナードットの周囲に形成されるトナードットの個数に応じて当該トナードットのトナー消費量を算出することが好ましい。例えば、ドット径を単位長さとして当該トナードットを中心とするＮ×Ｎ（Ｎ＝３，５，…）のマトリクスを仮想的に設定し、そのマトリクス内のドット個数（中心ドットを除く）に応じて、中心ドットのトナー消費量を見積もることができる。周囲ドットの個数と中心ドットのトナー消費量との関係は、予め実験的に求めておくことが可能である。
【００１５】
こうすることで、各トナードットごとのトナー消費量を見積もることができるが、例えばジョブ単位やページ単位など、所定の単位期間内に消費されたトナーの総量を求めるためには、当該期間内に形成された前記複数のトナードットそれぞれのトナー消費量を積算すればよい。
【００１６】
また、前記潜像担持体上に形成される複数のトナードットを、前記潜像担持体表面のうち当該トナードットを取り囲む所定領域内に形成されるトナードットの数に応じて分類するとともにその分類ごとのトナードットの個数をカウントし、各分類ごとのカウント値と、各分類ごとに予め定められた重み付け係数との積和演算によってトナー消費量を算出するようにしても、同様の結果を得ることができる。この場合における重み付け係数は、周囲のドット個数に応じて求められた、当該トナードット１ドットのトナー消費量に相当する値である。
【発明を実施するための最良の形態】
【００１７】
図１はこの発明にかかる画像形成装置の一実施形態の構成を示す図である。また、図２は図１の画像形成装置の電気的構成を示すブロック図である。この装置１は、イエロー（Ｙ）、シアン（Ｃ）、マゼンタ（Ｍ）、ブラック（Ｋ）の４色のトナー（現像剤）を重ね合わせてフルカラー画像を形成したり、ブラック（Ｋ）のトナーのみを用いてモノクロ画像を形成する画像形成装置である。この画像形成装置１では、ホストコンピュータなどの外部装置から画像信号がメインコントローラ１１に与えられると、このメインコントローラ１１からの指令に応じてエンジンコントローラ１０がエンジン部ＥＧ各部を制御して所定の画像形成動作を実行し、シートＳに画像信号に対応する画像を形成する。
【００１８】
このエンジン部ＥＧでは、感光体２２が図１の矢印方向Ｄ1に回転自在に設けられている。また、この感光体２２の周りにその回転方向Ｄ1に沿って、帯電ユニット２３、ロータリー現像ユニット４およびクリーニング部２５がそれぞれ配置されている。帯電ユニット２３は所定の帯電バイアスを印加されており、感光体２２の外周面を所定の表面電位に均一に帯電させる。クリーニング部２５は一次転写後に感光体２２の表面に残留付着したトナーを除去し、内部に設けられた廃トナータンクに回収する。これらの感光体２２、帯電ユニット２３およびクリーニング部２５は一体的に感光体カートリッジ２を構成しており、この感光体カートリッジ２は一体として装置１本体に対し着脱自在となっている。
【００１９】
そして、この帯電ユニット２３によって帯電された感光体２２の外周面に向けて露光ユニット６から光ビームＬが照射される。この露光ユニット６は、外部装置から与えられた画像信号に応じて光ビームＬを感光体２２上に露光して画像信号に対応する静電潜像を形成する。
【００２０】
こうして形成された静電潜像は現像ユニット４によってトナー現像される。すなわち、この実施形態では、現像ユニット４は、図１紙面に直交する回転軸中心に回転自在に設けられた支持フレーム４０、支持フレーム４０に対して着脱自在のカートリッジとして構成されてそれぞれの色のトナーを内蔵するイエロー用の現像器４Ｙ、シアン用の現像器４Ｃ、マゼンタ用の現像器４Ｍ、およびブラック用の現像器４Ｋを備えている。この現像ユニット４は、エンジンコントローラ１０により制御されている。そして、このエンジンコントローラ１０からの制御指令に基づいて、現像ユニット４が回転駆動されるとともにこれらの現像器４Ｙ、４Ｃ、４Ｍ、４Ｋが選択的に感光体２２と所定のギャップを隔てて対向する所定の現像位置に位置決めされると、当該現像器に設けられて選択された色の帯電トナーを担持するとともに所定の現像バイアスを印加された金属製の現像ローラ４４から感光体２２の表面にトナーを付与する。これによって、感光体２２上の静電潜像が選択トナー色で顕像化される。
【００２１】
各現像器４Ｙ、４Ｃ、４Ｍ、４Ｋには、当該現像器に関する情報を記憶するための不揮発性メモリ９１〜９４がそれぞれ設けられている。そして、各現像器に設けられたコネクタ４９Ｙ、４９Ｃ、４９Ｍ、４９Ｋのうち必要に応じて選択された１つと、本体側に設けられたコネクタ１０９とが互いに接続され、エンジンコントローラ１０のＣＰＵ１０１とメモリ９１〜９４との間で通信が行われる。こうすることで、各現像器に関する情報がＣＰＵ１０１に伝達されるとともに、各メモリ９１〜９４内の情報が更新記憶される。なお、ＣＰＵ１０１と各メモリ９１〜９４との間の通信は、上記のようにコネクタによる機械的接触によって行うものに限定されず、例えば無線通信などの非接触通信手段によってもよい。
【００２２】
上記のようにして現像ユニット４で現像されたトナー像は、一次転写領域ＴＲ1で転写ユニット７の中間転写ベルト７１上に一次転写される。転写ユニット７は、複数のローラ７２〜７５に掛け渡された中間転写ベルト７１と、ローラ７３を回転駆動することで中間転写ベルト７１を所定の回転方向Ｄ2に回転させる駆動部（図示省略）とを備えている。そして、カラー画像をシートＳに転写する場合には、感光体２２上に形成される各色のトナー像を中間転写ベルト７１上に重ね合わせてカラー画像を形成するとともに、カセット８から１枚ずつ取り出され搬送経路Ｆに沿って二次転写領域ＴＲ2まで搬送されてくるシートＳ上にカラー画像を二次転写する。
【００２３】
このとき、中間転写ベルト７１上の画像をシートＳ上の所定位置に正しく転写するため、二次転写領域ＴＲ2にシートＳを送り込むタイミングが管理されている。具体的には、搬送経路Ｆ上において二次転写領域ＴＲ2の手前側にゲートローラ８１が設けられており、中間転写ベルト７１の周回移動のタイミングに合わせてゲートローラ８１が回転することにより、シートＳが所定のタイミングで二次転写領域ＴＲ2に送り込まれる。
【００２４】
また、こうしてカラー画像が形成されたシートＳは定着ユニット９、排出前ローラ８２および排出ローラ８３を経由して装置本体の上面部に設けられた排出トレイ部８９に搬送される。また、シートＳの両面に画像を形成する場合には、上記のようにして片面に画像を形成されたシートＳの後端部が排出前ローラ８２後方の反転位置ＰＲまで搬送されてきた時点で排出ローラ８３の回転方向を反転し、これによりシートＳは反転搬送経路ＦＲに沿って矢印Ｄ3方向に搬送される。そして、ゲートローラ８１の手前で再び搬送経路Ｆに乗せられるが、このとき、二次転写領域ＴＲ2において中間転写ベルト７１と当接し画像を転写されるシートＳの面は、先に画像が転写された面とは反対の面である。このようにして、シートＳの両面に画像を形成することができる。
【００２５】
また、ローラ７５の近傍には、濃度センサ６０およびクリーナ７６が設けられている。濃度センサ６０は、必要に応じ、中間転写ベルト７１上に形成されるトナー像を構成するトナー量を光学的に検出する。すなわち、濃度センサ６０は、トナー像に向けて光を照射するとともに該トナー像からの反射光を受光し、その反射光量に応じた信号を出力する。クリーナ７６は、中間転写ベルト７１に対し離当接自在に構成され、必要に応じて中間転写ベルト７１に当接することで、該ベルト７１上の残留トナーを掻き落とす。
【００２６】
また、この装置１では、図２に示すように、メインコントローラ１１のＣＰＵ１１１により制御される表示部１２を備えている。この表示部１２は、例えば液晶ディスプレイにより構成され、ＣＰＵ１１１からの制御指令に応じて、ユーザへの操作案内や画像形成動作の進行状況、さらに装置の異常発生やいずれかのユニットの交換時期などを知らせるための所定のメッセージを表示する。
【００２７】
なお、図２において、符号１１３はホストコンピュータなどの外部装置よりインターフェース１１２を介して与えられた画像を記憶するためにメインコントローラ１１に設けられた画像メモリである。また、符号１０６はＣＰＵ１０１が実行する演算プログラムやエンジン部ＥＧを制御するための制御データなどを記憶するためのＲＯＭ、また符号１０７はＣＰＵ１０１における演算結果やその他のデータを一時的に記憶するＲＡＭである。
【００２８】
図３はこの装置における信号処理ブロックを示す図である。この画像形成装置では、ホストコンピュータ１００などの外部装置から画像信号が入力されると、メインコントローラ１１がその画像信号に対し所定の信号処理を施す。メインコントローラ１１は、色変換部１１４、階調補正部１１５、ハーフトーニング部１１６、パルス変調部１１７、階調補正テーブル１１８および補正テーブル演算部１１９などの機能ブロックを備えている。
【００２９】
また、エンジンコントローラ１０は、図２に示すＣＰＵ１０１、ＲＯＭ１０６、ＲＡＭ１０７以外に、露光ユニット６に設けられたレーザ光源を駆動するためのレーザドライバ１２１と、濃度センサ６０の検出結果に基づきエンジン部ＥＧのガンマ特性を示す階調特性を検出する階調特性検出部１２３を備えている。
【００３０】
なお、メインコントローラ１１およびエンジンコントローラ１０においては、これらの各機能ブロックはハードウェアにより構成されてもよく、またＣＰＵ１１１、１０１により実行されるソフトウェアによって実現されてもよい。
【００３１】
ホストコンピュータ１００から画像信号が与えられたメインコントローラ１１では、色変換部１１４がその画像信号に対応する画像内の各画素のＲＧＢ成分の階調レベルを示したＲＧＢ階調データを、対応するＣＭＹＫ成分の階調レベルを示したＣＭＹＫ階調データへ変換する。この色変換部１１４では、入力ＲＧＢ階調データは例えば１画素１色成分当たり８ビット（つまり２５６階調を表す）であり、出力ＣＭＹＫ階調データも同様に１画素１色成分当たり８ビット（つまり２５６階調を表す）である。色変換部１１４から出力されるＣＭＹＫ階調データは階調補正部１１５に入力される。
【００３２】
この階調補正部１１５は、色変換部１１４から入力された各画素のＣＭＹＫ階調データに対し階調補正を行う。すなわち、階調補正部１１５は、不揮発性メモリに予め登録されている階調補正テーブル１１８を参照し、その階調補正テーブル１１８にしたがい、色変換部１１４からの各画素の入力ＣＭＹＫ階調データを、補正された階調レベルを示す補正ＣＭＹＫ階調データに変換する。この階調補正の目的は、上記のように構成されたエンジン部ＥＧのガンマ特性変化を補償して、この画像形成装置の全体的ガンマ特性を常に理想的なものに維持することにある。
【００３３】
こうして補正された補正ＣＭＹＫ階調データは、ハーフトーニング部１１６に入力される。このハーフトーニング部１１６は誤差拡散法、ディザ法、スクリーン法などのハーフトーニング処理を行い、１画素１色当たり８ビットのハーフトーンＣＭＹＫ階調データをパルス変調部１１７に入力する。ハーフトーニング処理の内容は、形成すべき画像の種類により異なる。すなわち、その画像がモノクロ画像かカラー画像か、あるいは線画かグラフィック画像かなどの判定基準に基づき、その画像に最適な処理内容が選択され実行される。
【００３４】
このパルス変調部１１７に入力されたハーフトーニング後のＣＭＹＫ階調データは、各画素に付着させるべきＣＭＹＫ各色のトナードットのサイズおよびその配列を示す多値信号であり、かかるデータを受け取ったパルス変調部１１７は、そのハーフトーンＣＭＹＫ階調データを用いて、エンジン部ＥＧのＣＭＹＫ各色画像の露光レーザパルスをパルス幅変調するためのビデオ信号を作成し、図示を省略するビデオインターフェースを介してエンジンコントローラ１０に出力する。そして、このビデオ信号を受けたレーザドライバ１２１が露光ユニット６の半導体レーザをＯＮ／ＯＦＦ制御して各色成分の静電潜像を感光体２２上に形成する。このようにして画像信号に対応した画像形成を行う。
【００３５】
また、この種の画像形成装置では、装置のガンマ特性が装置個体ごとに、また同一の装置においてもその使用状況によって変化する。そこで、このようなガンマ特性のばらつきが画像品質に及ぼす影響を除くため、所定のタイミングで、前記した階調補正テーブル１１８の内容を画像濃度の実測結果に基づいて更新する階調制御処理を実行する。
【００３６】
この階調制御処理では、各トナー色毎に、ガンマ特性を測定するために予め用意された階調補正用の階調パッチ画像がエンジン部ＥＧによって中間転写ベルト７１上に形成され、各階調パッチ画像の画像濃度を濃度センサ６０が読み取り、その濃度センサ６０からの信号に基づき階調特性検出部１２３が各階調パッチ画像の階調レベルと、検出した画像濃度とを対応させた階調特性（エンジン部ＥＧのガンマ特性）を作成し、メインコントローラ１１の補正テーブル演算部１１９に出力する。そして、補正テーブル演算部１１９が、階調特性検出部１２３から与えられた階調特性に基づき、実測されたエンジン部ＥＧの階調特性を補償して理想的な階調特性を得るための階調補正テーブルデータを計算し、階調補正テーブル１１８の内容をその計算結果に更新する。こうして階調補正テーブル１１８を変更設定する。こうすることで、この画像形成装置では、装置のガンマ特性のばらつきや経時変化によらず、安定した品質で画像を形成することができる。
【００３７】
次に、この画像形成装置において、各現像器４Ｙ等に貯留されたトナーが画像形成によって消費される量を算出する方法について説明する。トナー像は多くのトナードットで構成されており、各トナードットの形成に消費されるトナー量の合計を求めることで全体のトナー消費量が求められる。この画像形成装置では、トナー消費量を求めるため、図３に示すように、パルス変調部１１７から出力されるパルス信号（ビデオ信号）データを一時的に記憶するデータバッファ１２０と、該バッファに記憶されたデータに基づきトナー消費量を算出するトナーカウンタ２２０とを設けている。
【００３８】
図４はパルス信号データの一例を示す図である。この装置では、露光ユニット６のレーザ光源が感光体２２表面を一方向（以下、この方向を「主走査方向」という）に走査露光するとともに、感光体表面が主走査方向に直交する方向（以下、「副走査方向」という）に移動することで２次元の静電潜像を感光体表面に形成する。パルス変調部１１７から出力されるパルス信号の１サイクルは、露光ユニット６による主走査方向の１走査ラインに相当する。そして、そのサイクルのうちパルス信号が１（Ｈレベル）に維持される期間、レーザ光源が点灯する一方、パルス信号が０（Ｌレベル）に維持される期間はレーザ光源は消灯している。なお、ここでは、レーザのオン・オフは１ドット単位で行われるものとして説明する。
【００３９】
データバッファ１２０は、１走査ラインで形成可能なドット個数、つまり走査ラインの長さに主走査方向における分解能を乗じた値に相当するデータ長を有している。そして、上記したパルス信号を１／０の２値データとみなし、その１サイクル分、すなわち１走査ライン分の１ワードとして、連続する３ワードを記憶する。例えば、走査ラインの長さを約２０ｃｍ、主走査方向における分解能を６００ｄｐｉとすると、１ワードのデータ長は約４７００ビットとなるが、理解を容易にするために、以下では１ワードを３０ビットとして説明する。
【００４０】
図５はデータバッファの記憶内容を示す模式図である。この図では、値１を取るビットを丸印で示し、値０を取るビットを空欄としている。３ワード分のデータを並べてみると、感光体２２上における３０×３ドットのマトリクス平面におけるトナードットの分布の様子が明らかになる。例えば、符号Ａに対応するドットについてみると、その上下に１つずつ別のドットが存在する。一方、符号Ｂに対応するドットの周囲には他のドットが存在しない。このことから、符号Ａに対応するドットには、その周囲に形成されるドットとの相互作用により、符号Ｂに対応するドット（孤立ドット）よりも多くのトナーが付着するものと予想される。同様に、感光体２２上に形成される各トナードットにおけるトナー付着量は、その周囲のトナードットの有無によって異なる。言い換えれば、そのトナードットを形成するためのトナー消費量は、当該ドットの周囲のドットの個数から見積もることができる。
【００４１】
したがって、図５に示すマトリクス平面における各ドットを形成するための総トナー消費量は、次に示す２つの方法（１）または（２）よって求めることができるが、両者は単に計算の手順が異なるのみで結果的には同じである。
（１）マトリクス平面内の各ドットごとのトナー消費量を、その周囲のドットの個数に基づいて求め、それを全ドットについて合計する；
（２）マトリクス平面内の各ドットを、その周囲のドット個数に応じて分類してその分類ごとに個数をカウントし、そのカウント値に、１ドット当たりのトナー量に相当する係数（分類ごとに設定される）を乗じたものを合計する。
【００４２】
本実施形態のトナーカウンタ２２０では、上記（２）の方法により１ページ当たりのトナー消費量を求めており、その具体的な動作について以下説明する。
【００４３】
図６はトナーカウンタの構成を示す図である。また、図７は隣接ドットの個数によるトナードットの分類を示す図である。なお、図７においては、処理の対象となるトナードットをハッチングを付した丸印で、後述する隣接ドットを白丸印で示している。
【００４４】
このトナーカウンタ２２０は、データバッファ１２０に記憶されたデータに基づいて、１ページの画像内に形成される各トナードットを、当該ドットの周囲に形成されるドットの個数に応じて分類するパターン判定回路２２１を備えている。パターン判定回路２２１は、当該トナードットを中心とする３×３マトリクス平面内に、当該ドット以外のドット（以下、「隣接ドット」という）がいくつあるかを各トナードットごとに判定し、その結果に応じて、後段に設けられたカウンタ２３０〜２３７のいずれかに対して値１を出力する。例えば、判定の対象となっているトナードットが、図５に示すドットＢのように孤立ドットである場合には、隣接ドットの個数は０であるので、カウンタ２３０に対し値１を出力する。また、図５のドットＡのように、３×３平面内の隣接ドットが２個である場合には、カウンタ２３２に値１を出力する。カウンタ２３０〜２３７は、所定の単位期間、例えば画像１ページ分に相当する期間内にパターン判定回路２２１から出力される値１の回数をカウントする。これにより、各カウンタ２３０，２３１，２３２，２３３，２３４，２３５，２３６，２３７および２３８では、１ページの画像を構成する全てのトナードットのうち、隣接ドットの個数が０，１，２，３，４，５，６，７および８個であるものの個数Ｃ0，Ｃ１，Ｃ２，Ｃ3，Ｃ4，Ｃ5，Ｃ6，Ｃ7およびＣ8がそれぞれカウントされることとなる。
【００４５】
そして、１ページ分のカウントが済むと、各カウンタ２３０〜２３８はそのカウント値Ｃ0〜Ｃ8を出力する。そのカウント値Ｃ0〜Ｃ8にそれぞれ係数Ｋ0〜Ｋ8を乗じて互いに加算し、さらに係数Ｋxを乗じることで、当該ページの画像形成によるトナー消費量ＴＣを算出する。すなわち、トナー消費量ＴＣは、次式：
ＴＣ＝Ｋx・（Ｋ0・Ｃ0＋Ｋ1・Ｃ1＋Ｋ2・Ｃ2＋  …  ＋Ｋ7・Ｃ7＋Ｋ8・Ｃ8）
…（式１）
により求められる。なお、前述した（１）の算出方法では、トナードットの出現ごとに、その隣接ドット個数に応じた係数Ｋ0等をそのドットに応じた重みとして選択し、その値を１ページ分累積加算してゆくこととなる。したがって、（１）の方法によっても、トナー消費量は（式１）で表される結果となる。
【００４６】
各係数Ｋ0〜Ｋ8は、隣接ドットの個数によってその中心のドットに付着するトナー量が異なることに対応した重み付けがなされている。図７の例は、例えば隣接ドット個数が０であるドット（孤立ドット）および隣接ドット個数が２個であるドットには、隣接ドット個数が５であるドットに比べてそれぞれ０．９倍および１．３倍のトナーが付着することを表している。
【００４７】
また、係数Ｋxは標準的なドット（ここでは隣接ドット個数が５であるドット）における１ドット当たりのトナー付着量に相当する値である。上記のように、隣接ドット個数によるトナー付着量の違いに応じた重み付けをした上で加算した総ドット個数に係数Ｋxを乗じることによって、１ページの画像を形成するのに消費されたトナー量ＴＣを算出することができる。これらの係数は実験的に求めることができる。すなわち、パターンの異なる種々の画像を形成し、ドット数を隣接ドット個数ごとに分類してカウントするとともにトナー消費量を測定し、実測値と計算値とができるだけ一致するように、各係数Ｋ0〜Ｋ8およびＫxを定めればよい。なお、各係数については、トナー色ごとに個別に求めておく必要がある。
【００４８】
なお、この算出方法によれば、１つの走査ライン上に存在する各トナードットのトナー消費量を個別に算出するためには、当該走査ラインおよびその前後（または上下）１ラインずつの計３ライン分のパルス信号データがあれば足りる。したがって、この実施形態では、データバッファ１２０が３走査ライン分のデータを記憶しておき、１つのライン上の全てのトナードットについてパターンの判定が済んだ時点で、最も古い１ライン分のデータを消去するとともに、次の１ライン分のデータを新たに記憶するようにしている。
【００４９】
図８はトナードットの配列とトナーカウントの実例を示す図である。この例では、1ページを３０×１０ドット構成として場合のトナー消費量を算出する。図８において、数字の記入された欄にはトナードットが存在し、また数字は当該ドットに隣接するドットの個数を示している。この例では、全トナードット数は９２であり、そのうち隣接ドット個数が０，１，２，３，４，５，６，７および８であるドットの個数Ｃ0，Ｃ1，Ｃ2，Ｃ3，Ｃ4，Ｃ5，Ｃ6，Ｃ7およびＣ8は、それぞれ５，１４，２５，４，１２，１６，１６，０および０である。これらに係数Ｋ0〜Ｋ8を乗じて加算した、「重み付けされた」ドット個数は１０３となる。この数値には、単純にドット個数をカウントする従来技術や１次元のドットの連続状態のみを考慮した従来技術では考慮されていない、２次元のドット配列状態がトナー消費量に及ぼす影響が加味されている。このため、実際には２次元的に広がる画像のトナー消費量をより精度よく求めることができる。
【００５０】
なお、こうしてトナーカウンタ２２０により算出された１ページ当たりのトナー消費量については、例えばＣＰＵ１０１において累積加算しＲＡＭ１０７に記憶しておき、現像器の消耗品管理に供することができる。例えば、通算のトナー消費量がある値に達したときに、現像器内のトナー残量が所定量を下回ったとして、ユーザにトナーが残り少ないことを示すメッセージや、現像器交換を促すメッセージなどを表示部１２に表示させることができる。
【００５１】
図９はトナー消費量の計算値と実測値との対応を示すグラフである。様々な画像について、本実施形態によりトナー消費量を算出するとともに、その結果を実測されたトナー消費量と比較してみると、図９に示すように、両者の間には良好な比例関係（相関係数Ｒ２＝０．９９１８）が成立しており、この算出方法により精度よくトナー消費量を算出できることが確認された。
【００５２】
以上のように、この実施形態では、各トナードットごとのトナー消費量が、そのドット周辺のドットの存在によって変化することに対応して、各トナードットを隣接ドット個数ごとに分類してカウントし、そのカウント値からトナー消費量を求めている。特に、ドットの２次元的な配列状態に基づいてトナードットの分類を行っているので、ドットの個数を単純加算する従来技術や、１次元のみの配列状態を考慮した従来技術と比較して、より精度よくトナー消費量を求めることが可能となっている。
【００５３】
なお、各現像器に貯留されたトナーは、上記した画像形成以外の用途に消費される場合がある。例えば、この種の画像形成装置では、感光体２２表面のうち本来ドットを形成すべきでない部分にまで微量のトナーが付着してしまう現象（カブリ）がよく知られている。カブリによるトナー消費量は、画像パターンとはあまり相関性がなく、むしろ形成した画像の総面積に左右される。したがって、カブリによるトナー消費量については、画像形成枚数や現像器の駆動時間など、画像面積に関連する値に一定の比率を乗じて求めることができる。また、ユーザの要求によらず装置内部で使用されるテストパターンなどを形成する場合には、これらによって消費されるトナーの量を別途計算する必要がある。そして、こうして求めた画像形成以外の用途に消費されたトナーの量をオフセット値として前記した計算式（式１）に加算することで、装置全体としてのトナー消費量を精度よく求めることが可能となる。
【００５４】
以上説明したように、この実施形態においては、感光体２２、現像ユニット４、露光ユニット６が、それぞれ本発明の「潜像担持体」、「現像手段」および「潜像形成手段」として機能している。また、トナーカウンタ２２０が本発明の「トナー消費量算出手段」および「トナーカウンタ」として機能している。また、データバッファ１２０が本発明の「記憶手段」として機能している。また、当該トナードットを中心とする３×３ドットマトリクス平面が、本発明にいう「所定領域」に相当している。
【００５５】
なお、本発明は上記した実施形態に限定されるものではなく、その趣旨を逸脱しない限りにおいて上述したもの以外に種々の変更を行うことが可能である。例えば、上記実施形態のトナーカウンタ２２０では、処理の対象とするトナードットを中心とする３×３のマトリクス平面内に存在するドット個数に応じてトナードットを分類しているが、これに限定されず、例えば当該ドットを中心として５×５ドットの平面を考えてもよい。ただし、この場合、データバッファは５ライン分のデータを記憶しておく必要があるので、より大きな記憶容量が必要となってしまう。また、各トナードットのトナー付着量は、比較的近い位置にあるドットの影響を強く受ける一方、遠い位置にあるドットによってはあまり影響を受けないので、処理に含める領域をむやみに広げても精度向上の点ではあまりメリットがないと考えられる。
【００５６】
また、上記実施形態では、１ドット単位でトナードットをカウントしているが、実際の画像形成装置では、レーザの点灯時間を制御することによってより細かい単位でドットのサイズを制御することができる。このような場合であっても、基本的には上記と同じような考え方によってトナー消費量を算出することが可能である。例えば、上記したマトリクス平面をさらに細かく分割し、１つのマス目を０．１ドット×０．１ドット程度にまで細かくすれば、ドットサイズが端数を生じる場合にもより柔軟に対応することができる。また、隣接ドットの個数を１ドット単位で数えるのでなく、例えば通常の１ドットの半分のサイズを有する隣接ドットについてはこれを０．５ドットと数えるようにしてもよい。また、隣接ドットの個数でなく、所定領域内において隣接ドットが占める面積によって当該トナードットを分類するようにしてもよい。
【００５７】
さらに、上記実施形態の構成に限定されず、例えばブラック色トナーに対応した現像器のみを備えモノクロ画像を形成する装置や、中間転写ベルト以外の転写媒体（転写ドラム、転写シートなど）を備える装置、さらには複写機、ファクシミリ装置など他の画像形成装置に対しても、本発明を適用することが可能である。
【図面の簡単な説明】
【００５８】
【図１】この発明にかかる画像形成装置の一実施形態の構成を示す図。
【図２】図１の画像形成装置の電気的構成を示すブロック図。
【図３】この装置における信号処理ブロックを示す図。
【図４】パルス信号データの一例を示す図。
【図５】データバッファの記憶内容を示す模式図。
【図６】トナーカウンタの構成を示す図。
【図７】隣接ドットの個数によるトナードットの分類を示す図。
【図８】トナードットの配列とトナーカウントの実例を示す図。
【図９】トナー消費量の計算値と実測値との対応を示すグラフ。
【符号の説明】
【００５９】
４…現像ユニット（現像手段）、  ６…露光ユニット（潜像形成手段）、  ２２…感光体（潜像担持体）、  １２０…データバッファ（記憶手段）、  ２２０…トナーカウンタ（トナー消費量算出手段、トナーカウンタ）
【図１】
2006098952.tif 000003
【図２】
2006098952.tif 000004
【図３】
2006098952.tif 000005
【図４】
2006098952.tif 000006
【図５】
2006098952.tif 000007
【図６】
2006098952.tif 000008
【図７】
2006098952.tif 000009
【図８】
2006098952.tif 000010
【図９】
2006098952.tif 000011